(57)【要約】【課題】曲面を有する屋根への適用が容易である構造物設置支持装置を提供する。【解決手段】この構造物設置支持装置１００では、複数の固定具１０１、１０２を、屋根材下方の野地板に対して垂直な方向に固定しつつ、構造物を固定支持する支持具１０３と固定具１０１、１０２とを、支持具側部１０７および固定具側部１０５において設置固定することができる。これにより、複数の固定具１０１、１０２により担持される支持具の一端１０８側において一方の固定具１０１と支持具１０３とを結合した後に、支持具の他端１１０側を揺動可能とし他方の固定具１０２と支持具１０３とを締着する位置に自由度を与えて、固定具１０１、１０２と支持具１０３とを設置固定することが可能となる。したがって、傾斜角度の異なる複数の野地板を備える屋根へ容易に適用が可能となる。【選択図】図１
2007285096.tif 000002
【特許請求の範囲】
【請求項１】
傾斜角度の異なる複数の野地板を備える屋根の上側に構造物を取付けるための構造物設置支持装置において、
前記野地板に固定される複数の固定具と、
複数の前記固定具により担持され前記構造物を固定支持する支持具とを備え、
前記固定具は、側部に前記支持具を固定する固定部を含み、
前記支持具は、
前記支持具の一端の側部に形成され、複数の前記固定具のうちの一つである一方の固定具と結合される、第一の固着部と、
前記支持具の他端の側部に形成され、複数の前記固定具のうちの他の一つである他方の固定具と締着される、第二の固着部とを含み、
前記支持具は、前記第一の固着部において、前記支持具の一端の側部と垂直な方向を回動軸方向として、前記一方の固定具に対し相対的に回動可能に結合され、
前記他方の固定具の前記固定部と前記第二の固着部とは、締着部材により締着され、
前記第二の固着部は、前記締着部材により前記他方の固定具の前記固定部と締着され得る締着部位を、複数有することを特徴とする、構造物設置支持装置。
【請求項２】
前記固定部は、丸穴が形成された部分を有し、
前記第一の固着部は、丸穴が形成された部分を有し、
前記第二の固着部は、長穴が形成された部分を有することを特徴とする、請求項１に記載の構造物設置支持装置。
【請求項３】
前記第二の固着部は、前記支持具の長手方向に沿って伸びる長穴が形成された部分を有することを特徴とする、請求項２に記載の構造物設置支持装置。
【請求項４】
前記第二の固着部は、前記支持具の短手方向に沿って伸びる長穴が形成された部分を有することを特徴とする、請求項２に記載の構造物設置支持装置。
【請求項５】
前記支持具は、複数の前記第二の固着部を含むことを特徴とする、請求項２から請求項４に記載の構造物設置支持装置。
【請求項６】
前記支持具は、前記長手方向の両端部に形成され、複数の前記支持具を前記長手方向に連結する、連結部を含むことを特徴とする、請求項１から請求項５に記載の構造物設置支持装置。
【請求項７】
傾斜角度の異なる複数の野地板を備える屋根の上側に構造物を取付けるための構造物設置支持方法において、
前記野地板に複数の固定具を固定する工程と、
複数の前記固定具に支持具を固定する支持具固定工程と、
複数の前記支持具に架設される桟に前記構造物を設置支持する工程とを備え、
前記支持具固定工程は、前記支持具の一端の側部と垂直な方向を回動軸方向として、複数の前記固定具のうちの一つである一方の固定具と前記支持具とを相対的に回動可能に、前記一方の固定具の側部に形成される一方の固定部と前記支持具の一端の側部に形成される第一の固着部とを結合する工程と、
複数の前記固定具のうちの他の一つである他方の固定具の側部に形成される他方の固定部と前記支持具の他端の側部に形成される第二の固着部とを締着する位置を調整する工程と、
前記他方の固定部と前記第二の固着部とを締着する工程とを含むことを特徴とする、構造物設置支持方法。
【発明の詳細な説明】
【技術分野】
【０００１】
この発明は、構造物設置支持装置および方法に関し、特に、屋根の上にパネル状の構造物を設置支持する、構造物設置支持装置および方法に関する。
【背景技術】
【０００２】
構造物を屋根に取付ける場合には構造物を設置するための支持装置が必要である。構造物は、支持装置に固定されることが一般的である。
【０００３】
建物の屋根に取付けられる構造物として、たとえば、太陽電池装置が挙げられる。近年においては、太陽電池装置の普及が進みつつあり、これらの多くは、家屋の屋根に取付けられる。
【０００４】
家屋の屋根に太陽電池装置を設置する場合には、屋根の上側に金属製の桟などを組んで架台を形成する。架台は、構造物の一部として形成される。架台は、支持装置によって屋根に固定される。太陽電池装置は、パネル状の太陽電池モジュールを備える。太陽電池モジュールは、この架台に固定されることが一般的である。
【０００５】
従来、瓦等の代わりに、太陽電池モジュールを屋根全域に配列して葺き降ろし屋根を構築し、太陽電池モジュールの設置面積を広くして、太陽光発電を効率的に行なうことができる建物が提案されている（たとえば特許文献１参照）。また、屋根の美観を保つために、異なる寸法の太陽電池モジュールを組み合わせて屋根全域に配列できる装置が提案されている（たとえば特許文献２参照）。
【特許文献１】特開２００４−３３２２００号公報
【特許文献２】特開２００５−２６４４４１号公報
【発明の開示】
【発明が解決しようとする課題】
【０００６】
特許文献１および特許文献２において提案されている技術は、屋根面が平面である住宅への適用を主にしていると考えられ、屋根面が曲面である、たとえばドーム型屋根の住宅への適用は困難である。
【０００７】
パネル状の構造物を設置する為には、屋根材下方に設置され下地として屋根材を支える野地板に、架台を固定するのが一般的である。この場合、架台を固定する部材は野地板に対して垂直な方向に固定される。そのため、曲面を有する屋根に構造物を設置する際には、架台を固定する部材を野地板に対して垂直な方向に固定すると、架台を固定する部材の上面が揃わないため、架台の固定が困難であった。
【０００８】
それゆえに、この発明の主たる目的は、曲面を有する屋根への適用が容易である構造物設置支持装置および方法を提供することである。また、この発明の他の目的は、製造が容易であって、屋根の美観を保ち、耐久性を有する構造物設置支持装置を提供し、上記構造物設置支持装置を用いて、施工が容易な構造物設置支持方法を提供することである。
【課題を解決するための手段】
【０００９】
この発明に係る構造物設置支持装置は、傾斜角度の異なる複数の野地板を備える屋根の上側に構造物を取付けるための構造物設置支持装置であって、複数の固定具と、支持具とを備える。固定具は、野地板に固定され、側部に支持具を固定する固定部を含む。支持具は、複数の固定具により担持され構造物を固定支持する。また支持具は、一端の側部に形成される第一の固着部と、他端の側部に形成される第二の固着部とを含む。第一の固着部において、支持具は、複数の固定具のうちの一つである一方の固定具の固定部と、支持具の一端の側部と垂直な方向を回動軸方向として、一方の固定具に対し相対的に回動可能に、結合される。また、第二の固着部において、支持具は、複数の固定具のうちの他の一つである他方の固定具の固定部と、締着部材により締着される。そして、第二の固着部は、締着部材により他方の固定具の固定部と締着され得る締着部位を、複数有する。
【００１０】
この場合は、複数の固定具を、屋根材下方の野地板に対して垂直な方向に固定しつつ、構造物を固定支持する支持具と固定具とを、支持具および固定具の側部において設置固定することができる。これにより、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。また、施工性が向上し、屋根への取付けが容易となる。さらに、屋根曲面に沿って構造物を設置することが可能となり、屋根との一体感が得られ美観が向上するとともに、耐風性が向上する。
【００１１】
好ましくは、固定部は、丸穴が形成された部分を有する。第一の固着部は、丸穴が形成された部分を有する。第二の固着部は、長穴が形成された部分を有する。
【００１２】
この場合は、一方の固定具に含まれる固定部の丸穴と支持具に含まれる第一の固着部の丸穴とを、たとえばボルトなどを用いて結合することができる。さらに、他方の固定具に含まれる固定部の丸穴と支持具に含まれる第二の固着部の長穴とを、たとえばボルトなどの締着部材を用いて、第二の固着部の長穴における任意の位置において締着することができる。よって、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。ここで丸穴とは、略円形状に形成される穴を示す。また長穴とは、たとえば矩形の一対の対向する辺の外側に当該辺の長さを直径とする半円が接する形状などの、両端を有する形状や、楕円形状に形成される穴を示す。
【００１３】
また好ましくは、第二の固着部は、支持具の長手方向に沿って伸びる長穴が形成された部分を有する。
【００１４】
この場合は、第二の固着部が有する長穴は、野地板に対して平行方向に長い横長に形成される。そして、他方の固定具に含まれる固定部の丸穴と支持具に含まれる第二の固着部の長穴とを、第二の固着部の長穴における任意の位置において締着することができる。よって、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。
【００１５】
また好ましくは、第二の固着部は、支持具の短手方向に沿って伸びる長穴が形成された部分を有する。
【００１６】
この場合は、第二の固着部が有する長穴は、野地板に対して垂直方向に長い縦長に形成される。そして、他方の固定具に含まれる固定部の丸穴と支持具に含まれる第二の固着部の長穴とを、第二の固着部の長穴における任意の位置において締着することができる。よって、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。
【００１７】
また好ましくは、支持具は、複数の第二の固着部を含む。
この場合は、第二の固着部は長穴が形成された部分を有するので、支持具は、複数の長穴が形成された部分を有する。そのため、他方の固定具に含まれる固定部の丸穴と支持具に含まれる第二の固着部の長穴とを締着する位置を、より多くの任意の位置において選択できる。よって、他方の固定具と支持具とを締着する位置に、より自由度を与えて固定具と支持具とを設置固定することが可能となる。したがって、傾斜角度の異なる複数の野地板を備える屋根へより容易に適用が可能となる。
【００１８】
また好ましくは、支持具は、長手方向の両端部に形成され、複数の支持具を長手方向に連結する、連結部を含む。
【００１９】
この場合は、複数の構造物設置支持装置を屋根に設置するとき、支持具の一端側において一方の固定具と支持具とを結合した後に、他端側が揺動可能な状態において、支持具の他端と、支持具の他端側に隣接する他の支持具の一端とを、連結することができる。これにより、複数の構造物設置支持装置を屋根上に均等に配置することができる。また、曲面を有する屋根面において、屋根曲面に沿って構造物を設置することが可能となり、屋根との一体感が得られ美観が向上する。さらに、複数の構造物設置支持装置を一体として固定することにより、互いの構造物設置支持装置の耐風性がさらに向上する。
【００２０】
この発明に係る構造物設置支持方法は、傾斜角度の異なる複数の野地板を備える屋根の上側に構造物を取付けるための構造物設置支持方法であって、野地板に複数の固定具を固定する工程と、複数の固定具に支持具を固定する支持具固定工程と、複数の支持具に架設される桟に構造物を設置支持する工程とを備える。支持具固定工程は、一方の固定具と支持具とを結合する工程と、他方の固定具と支持具とを締着する位置を調整する工程と、他方の固定具と支持具とを締着する工程とを含む。一方の固定具と支持具とを結合する工程においては、支持具の一端の側部と垂直な方向を回動軸方向として、複数の固定具のうちの一つである一方の固定具と支持具とを相対的に回動可能に、一方の固定具の側部に形成される一方の固定部と支持具の一端の側部に形成される第一の固着部とを結合する。他方の固定具と支持具とを締着する位置を調整する工程においては、複数の固定具のうちの他の一つである他方の固定具の側部に形成される他方の固定部と支持具の他端の側部に形成される第二の固着部とを締着する位置を調整する。他方の固定具と支持具とを締着する工程においては、他方の固定具の側部に形成される他方の固定部と支持具の他端の側部に形成される第二の固着部とを締着する。
【００２１】
この場合は、複数の固定具を、屋根材下方の野地板に対して垂直な方向に固定しつつ、構造物を固定支持する支持具と固定具とを、支持具および固定具の側部において設置固定することができる。これにより、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。また、施工性が向上し、屋根への取付けが容易となる。さらに、屋根曲面に沿って構造物を設置することが可能となり、屋根との一体感が得られ美観が向上するとともに、耐風性が向上する。
【発明の効果】
【００２２】
以上のように、この発明に係る構造物設置支持装置では、複数の固定具を、屋根材下方の野地板に対して垂直な方向に固定しつつ、構造物を固定支持する支持具と固定具とを、支持具および固定具の側部において設置固定することができる。これにより、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。したがって、傾斜角度の異なる複数の野地板を備える屋根へ容易に適用が可能となる。また、施工性が向上し、屋根への取付けが容易となる。さらに、屋根曲面に沿って構造物を設置することが可能となり、屋根との一体感が得られ美観が向上するとともに、耐風性が向上する。
【発明を実施するための最良の形態】
【００２３】
以下、図面に基づいてこの発明の実施の形態を説明する。なお、以下の図面において同一または相当する部分には同一の参照番号を付しその説明は繰返さない。
【００２４】
（実施の形態１）
図１は、この発明の一実施の形態である実施の形態１の構造物設置支持装置の外観を示す斜視図である。図１において、この構造物設置支持装置１００は、複数の固定具としての一方の支持金具１０１および他方の支持金具１０２と、支持具としての縦取付金具１０３とを備える。
【００２５】
一方の支持金具１０１および他方の支持金具１０２は、支持金具側部１０５に、縦取付金具１０３を固定するための固定部を含み、固定部は丸穴としての絞りタップ１０６が形成された部分を有する。すなわち、絞りタップ１０６において、支持金具側部１０５には絞り穴が形成されている。この絞り穴の内側にタップ加工が施され螺刻されており、螺杆（ネジ棒）で螺着できるようになっている。
【００２６】
縦取付金具１０３は、第一の固着部と第二の固着部とを含む。第一の固着部は、縦取付金具の一方の端部１０８において一組の対向する縦取付金具側部１０７に形成され、丸穴としての第一の支持金具固定穴１０９が形成された部分を有する。第二の固着部は、縦取付金具の他方の端部１１０において一組の対向する縦取付金具側部１０７に形成され、長穴としての第二の支持金具固定穴１１２が形成された部分を有する。また、縦取付金具１０３の上面には、横桟取付溝１１３が形成され、縦取付金具１０３の長手方向と交差するように横桟が取付けられる。
【００２７】
第一の固着部が有する第一の支持金具固定穴１０９において、支持具としての縦取付金具１０３は、複数の固定具のうちの一つである一方の固定具としての一方の支持金具１０１の固定部が有する丸穴としての絞りタップ１０６と、縦取付金具側部１０７と垂直な方向を回動軸方向として、一方の支持金具１０１に対し、相対的に回動可能に結合される。また、第二の固着部が有する第二の支持金具固定穴１１２において、支持具としての縦取付金具１０３は、複数の固定具のうちの他の一つである他方の固定具としての他方の支持金具１０２の固定部が有する丸穴としての絞りタップ１０６と、締着部材としてのボルト１１１により締着される。
【００２８】
より具体的には、一方の支持金具１０１における支持金具側部１０５の外側と、縦取付金具１０３における縦取付金具側部１０７の内側とが、相互に対向するように配置し、好ましくは互いの側部が密接している。そして、ボルト１０４を第一の支持金具固定穴１０９を貫通させ、一方の支持金具１０１に形成された絞りタップ１０６に捩じ込む。これにより縦取付金具１０３は、第一の支持金具固定穴１０９と絞りタップ１０６とを貫通して挿入されるボルト１０４により軸支される。回動軸方向としてのボルト１０４が挿入される方向は、縦取付金具側部１０７を含む平面とほぼ垂直であればよい。これを、縦取付金具１０３の両側の側部において行なうことにより、ボルト１０４を軸として、縦取付金具１０３は一方の支持金具１０１に対して相対的に回動可能に支持される。また、一方の支持金具１０１と縦取付金具１０３とは当接するような形状でも構わない。たとえば、一方の支持金具１０１と縦取付金具１０３との相対的な回動運動を妨げないように、支持金具側部１０５の形状は、上部の一部が円弧状に切り落とされて上端部を有するように成形され、支持金具側部１０５の上端部と縦取付金具１０３の内側背面部（縦取付金具１０３の上面内側、すなわち、横桟取付溝１１３が形成される面の、屋根の上に設置するとき野地板と対向する側）とが部分的に当接するのが好ましい。部分的に当接することにより、一方の支持金具１０１の縦取付金具１０３を支持する箇所がボルト１０４と当接箇所とに分散されるため、より堅固に取り付けが可能となる。また、一方の支持金具１０１と縦取付金具１０３とは相対的に回動可能に結合されればよいため、ボルト１０４を用いる他に、たとえば、ピンを貫通させて軸支する、縦取付金具側部１０７に形成した凸部と支持金具側部１０５に形成した凹部とを嵌合する、などの方法によって、結合することができる。
【００２９】
そして、他方の支持金具１０２における支持金具側部１０５の外側と、縦取付金具１０３における縦取付金具側部１０７の内側とが、相互に対向するように配置し、好ましくは互いの側部が密接している。そして、締着部材としてのボルト１１１を第二の支持金具固定穴１１２を貫通させ、他方の支持金具１０２に形成された絞りタップ１０６に捩じ込む。このとき、第二の支持金具固定穴１１２は、縦取付金具１０３の長手方向に沿って伸びる長穴である。そのため、ボルト１１１が第二の支持金具固定穴１１２を貫通する位置を、長穴である第二の支持金具固定穴１１２の範囲において、任意に調整することができる。換言すると、第二の支持金具固定穴１１２は、締着部材としてのボルト１１１により他方の支持金具１０２と締着され得る締着部位を複数有し、他方の支持金具１０２と縦取付金具１０３とが最適な配置となる締着部位を、複数の締着部位から任意に選択して、他方の支持金具１０２と縦取付金具１０３とを締着固定することができる。これを、縦取付金具１０３の両側の側部において行なうことにより、縦取付金具１０３は第二の支持金具固定穴１１２の範囲内で、他方の支持金具１０２に固定される。このとき、他方の支持金具１０２と縦取付金具１０３とは密接するのが好ましい。また、他方の支持金具１０２と縦取付金具１０３とは、たとえば図１に示すボルト１１１および絞りタップ１０６のように、着脱可能な部材で挟持して互いに結合され固定されるのが好ましい。また、第二の固着部が有する複数の締着部位から、他方の支持金具１０２と縦取付金具１０３とが最適な配置となる締着部位を選択できればよい。そのため、第二の支持金具固定穴１１２は、縦取付金具１０３の長手方向に対して傾斜して形成されてもよい。またたとえば第二の固着部が、複数の丸穴が形成された部分を有していてもよく、湾曲する長穴が形成された部分を有していてもよく、複数の長穴が平行にまたは交差して形成された部分を有していてもよい。
【００３０】
次に、構造物設置支持装置１００を用いて、傾斜角度の異なる複数の野地板を備える屋根の上側に構造物を取付ける例について説明する。図２は、図１に示す構造物設置支持装置１００を屋根の上側に複数設置した実施形態を示す模式図であり、水平面に対する野地板の傾きの角度である傾斜角度が一定角度で変化する円弧を描くドーム型の屋根に設置する場合の例である。図２において、屋根の流方向に軒側から頂上部へ順に、野地板１２１、野地板１２２、野地板１２３および野地板１２４が設置されている。野地板１２１〜１２４は、たとえば、流方向寸法９１０ｍｍ、流方向と直交する桁行方向寸法１８２０ｍｍのものを用いることができる。また、野地板１２１〜１２４は、それぞれ屋根頂上部に向かって水平面に対して、たとえば５度ずつ減少した傾斜角度を呈している。そして、図２において、野地板１２１〜１２４には、屋根の流方向に、構造物設置支持装置１００が３台設置されている。構造物設置支持装置１００は、たとえば、長手方向寸法１０８５ｍｍのものを用いることができる。またそれぞれの構造物設置支持装置１００は、隙間をもって配置されている。それぞれの構造物設置支持装置１００には、構造物としてのパネル１３０、たとえば太陽電池モジュールが設置固定されている。以下、屋根の流方向に軒側から頂上部へ向かって順に、１段目、２段目および３段目の構造物設置支持装置と称する。
【００３１】
図３は、図２に示す１段目の構造物設置支持装置を示す模式図である。また図４は、図２に示す２段目の構造物設置支持装置を示す模式図である。図３において、複数の固定具のうちの一つである一方の固定具としての一方の支持金具１０１が、野地板１２１に、野地板１２１に対して垂直な方向に固定される。また、複数の固定具のうちの他の一つである他方の固定具としての他方の支持金具１０２が、野地板１２１と傾斜角度の異なる他の野地板である野地板１２２に、野地板１２２に対して垂直な方向に固定される。屋根の仕上げ材である曲面を有する屋根材１２０は野地板によって支えられ、曲面の屋根面を形成している。屋根材１２０は、たとえば金属製とすることができる。屋根材１２０は、一方の支持金具１０１が野地板１２１に固定される位置において、一方の支持金具１０１を野地板１２１に固定するための、たとえばボルトなどの部材によって、貫通穴が形成される。他方の支持金具１０２が野地板１２２に固定される位置においても、同様に貫通穴が形成される。支持具としての縦取付金具１０３は、複数の固定具、すなわち一方の支持金具１０１と他方の支持金具１０２とによって担持されており、構造物としてのパネル１３０を固定支持する。縦取付金具１０３は第二の支持金具固定穴１１２が形成された部分を有しており、第二の支持金具固定穴１１２は、縦取付金具１０３の長手方向に沿って伸びる長穴である。すなわち、第二の支持金具固定穴１１２は、野地板に対してほぼ平行方向に長い横長に形成されている。これにより、他方の支持金具１０２を、野地板表面の任意の位置を自在に選択して固定することができる。よって、下地である野地板の繋ぎ目の頂部１２７を避けるように、他方の支持金具１０２を野地板に固定することが容易となる。縦取付金具１０３が複数の第二の固着部を含む、すなわち第二の支持金具固定穴１１２を複数有することにより、野地板表面の任意の位置をより自在に選択して他方の支持金具１０２を固定することができ、野地板の繋ぎ目の頂部１２７を避けて他方の支持金具１０２を野地板に固定することがより容易となる。たとえば図３では、縦取付金具１０３の長手方向に形成される２箇所の第二の支持金具固定穴１１２のうち、縦取付金具１０３の端部側を用いている。また図４では、縦取付金具１０３の中央寄り側の、第二の支持金具固定穴１１２を用いている。
【００３２】
架台を固定する固定具、すなわち一方の支持金具１０１と他方の支持金具１０２とを、屋根材下方の野地板に対して垂直な方向に固定しつつ、架台の一部である支持具、すなわち縦取付金具１０３と、支持金具側部１０５および縦取付金具側部１０７において設置固定することができる。縦取付金具１０３に形成される第一の支持金具固定穴１０９は丸穴形状であり、また第二の支持金具固定穴１１２は長穴形状であるため、複数の固定具により担持される支持具の一端側において一方の固定具と支持具とを結合した後に、支持具の他端側を揺動可能とし他方の固定具と支持具とを締着する位置に自由度を与えて、固定具と支持具とを設置固定することが可能となる。すなわち、第一の支持金具固定穴１０９を一方の支持金具１０１の丸穴形状の絞りタップ１０６と結合し位置決めした後に、第二の支持金具固定穴１１２と他方の支持金具１０２の絞りタップ１０６とを締着する位置を調整した上で、他方の支持金具１０２と縦取付金具１０３とを締着することができる。したがって、構造物設置支持装置１００を容易に屋根の上側に取付けることができ、施工性が向上する。また、一方の支持金具１０１および他方の支持金具１０２と縦取付金具１０３とはそれぞれの側部において結合されるので、一方の支持金具１０１の上面と他方の支持金具１０２の上面とが同一平面上に揃っていなくても、容易に結合できる。よって、曲面を有する屋根へ容易に構造物設置支持装置１００を取付けることができるため、たとえば、曲面を有する屋根へ太陽電池モジュールを適用することが可能となる。その上、他方の支持金具１０２の野地板への固定位置を任意に選択することにより、野地板の繋ぎ目である頂部１２７と縦取付金具１０３との隙間を調整することが可能となる。したがって、屋根曲面に沿ってパネル１３０を設置することが可能となり、屋根との一体感が得られ美観が向上する。さらに、第一の支持金具固定穴１０９を基準点として屋根曲面とパネル１３０との隙間を少なく設定するよう、パネル１３０の設置角度調整が可能であり、これにより風耐圧が強い設置構造が得られ、耐風性が向上する。
【００３３】
図２および図３において、縦取付金具１０３は、丸穴としての第一の支持金具固定穴１０９が形成された部分と、長穴としての第二の支持金具固定穴１１２が形成された部分とを有しているが、この形状に限られるものではない。構造物設置支持装置が備える支持具と固定具とが、それぞれの側部において相対的に回動可能に結合されれば、曲面を有する屋根へ構造物設置支持装置を容易に取付けることができる。すなわち、固定具は、固定具側部に支持具を固定する固定部を含み、また支持具は、支持具側部において固定具により固定されるものであって、そして複数の固定具は支持具側部と垂直な方向を回動軸方向として、固定部を軸として支持具に対し相対的に回動可能であればよい。これにより、一方の固定具を野地板に、野地板に対して垂直な方向に固定し、また他方の固定具を野地板と傾斜角度の異なる他の野地板に、他の野地板に対して垂直な方向に固定した上で、支持具と一方の固定具とを結合し、また支持具と他方の固定具とを結合して、支持具を設置固定することができる。たとえば、支持具において固定具により固定される部分である第一の固着部と第二の固着部とが、いずれも丸穴が形成された部分を有するように、支持具を成形することができる。また、第一の固着部と第二の固着部とが、いずれも長穴が形成された部分を有するように、支持具を成形することができる。固定具を野地板に固定する位置を自在に選択するためには、支持具は長穴が形成された部分を有するのが好ましい。
【００３４】
次に、構造物設置支持装置１００を構成する部品の構造について説明する。図５は、図１に示す支持具、すなわち縦取付金具１０３の三面図である。図５において、（ａ）は上面図、（ｂ）は正面図、（ｃ）は側面図をそれぞれ示す。側面図に示されるように、縦取付金具１０３は、外側にヒレ形状を備えるコの字状に形成される。正面図に示される縦取付金具側部１０７に、第一の支持金具固定穴１０９および第二の支持金具固定穴１１２が形成される。また上面に、横桟取付溝１１３が形成される。縦取付金具１０３は、金属板を金型によるプレス成型により製造することができる。また金属板をロールフォーミングして製造することもでき、押出し成型により製造することもできる。素材となる金属板は、構造物設置支持装置１００が屋外に設置されることを考慮し、高耐食性を有するものがより好ましい。たとえば、新日本製鐵株式会社のスーパーダイマ（Ｒ）のような亜鉛めっき鋼や、ステンレス鋼、アルミニウム合金などを用いることができる。
【００３５】
図６は、図１に示す固定具、すなわち一方の支持金具１０１および他方の支持金具１０２の三面図である。図６において、（ａ）は上面図、（ｂ）は正面図、（ｃ）は側面図をそれぞれ示す。上面図に示される一方の支持金具１０１および他方の支持金具１０２の底面、すなわち野地板と接する面には、一方の支持金具１０１および他方の支持金具１０２を野地板に固定するためのネジ穴１１４が２箇所形成されている。また、正面図に示される支持金具側部１０５に、絞り穴が形成されており、この絞り穴の内側にタップ加工が施され、絞りタップ１０６を形成している。また、一方の支持金具１０１および他方の支持金具１０２が縦取付金具１０３に取付けられるときに、一方の支持金具１０１および他方の支持金具１０２の上部が縦取付金具１０３の上面に干渉し、一方の支持金具１０１および他方の支持金具１０２と縦取付金具１０３との相対的な回動運動を妨げないように、支持金具側部１０５の形状は、上部の一部が斜めに切り落とされている。さらに、支持金具側部１０５の上面から絞りタップ１０６までの距離は、縦取付金具１０３における縦取付金具側部１０７の内側の上部端から第一の支持金具固定穴１０９および第二の支持金具固定穴１１２までの距離よりも、小さくなるように成形される。これにより、絞りタップ１０６と第一の支持金具固定穴１０９とを結合するボルト１０４を軸として、縦取付金具１０３は一定範囲で回動可能に支持される。支持金具側部１０５の形状は図６に示される形状に限らず、縦取付金具１０３が一定範囲で回動可能に支持される形状であればよい。たとえば、支持金具側部１０５の上部を湾曲した頂上部を有する円弧形状とし、支持金具側部１０５を蒲鉾形状とすることができる。
【００３６】
図７は、図１に示す固定具、すなわち一方の支持金具１０１および他方の支持金具１０２の、変形例の正面図および側面図である。図７において、（ａ）は正面図、（ｂ）は側面図をそれぞれ示す。正面図に示される固定具の底面外側、すなわち野地板と接する面の野地板と接する側に、一方の支持金具１０１および他方の支持金具１０２を野地板に固定するための野地板面ネジ止め部との止水を目的として、止水部材１１５が接着されている。止水部材１１５は、図７に示すように板状に成形することができ、その場合底面より一回り小さく形成されるのが好ましい。止水部材１１５の素材は、固定具を野地板にネジ止めすることにより押圧されて、野地板面ネジ止め部を止水できるものであればよく、たとえば、ブチルゴムや発泡ＥＰＤＭ（エチレンプロピレン）ゴムなどを用いることができる。
【００３７】
次に、構造物設置支持方法について説明する。図８は、構造物設置支持方法の概略を示す流れ図である。図８を参照して、構造物設置支持装置１００を用いて、傾斜角度の異なる複数の野地板を備える屋根の上側に構造物を取付けるための構造物設置支持方法について説明する。
【００３８】
まず工程（Ｓ１００）において、野地板に複数の固定具を固定する。この工程においては、たとえば、一方の支持金具１０１および他方の支持金具１０２を縦取付金具１０３に仮組みし、屋根面において野地板の繋ぎ目（頂部１２７）を避けながら、流方向の位置決めを行なう。次に、一方の支持金具１０１および他方の支持金具１０２の設置位置をマークする、流方向の墨出しを行なう。次に、縦取付金具１０３に固定される横桟が有する長穴の位置を確認し、縦取付金具１０３と横桟とが固定できる位置に設置されることを確認した上で、たとえば太陽電池モジュールなどの構造物の桁行方向寸法に合わせて、流方向と直交する桁行方向の墨出しを行なう。次に、流方向・桁行方向の墨出し線の交点に、一方の支持金具１０１および他方の支持金具１０２を配置し、ネジ止めにより野地板に、野地板に対して垂直な方向に一方の支持金具１０１および他方の支持金具１０２を固定する。
【００３９】
次に工程（Ｓ２００）において、複数の固定具に支持具を固定する。この工程の詳細については後述する。次に工程（Ｓ３００）において、複数の支持具に桟を架設する。この工程においては、たとえば、一方の支持金具１０１および他方の支持金具１０２により固定された縦取付金具１０３の、Ｔ型の横桟取付溝１１３に、タップ金具をスライドさせて挿入する。その上に横桟を置き、横桟が有する長穴が横桟取付溝１１３の上にあることを確認し、横桟と縦取付金具１０３とをボルトで固定し架設する。図１および図５に示す縦取付金具１０３は２箇所の横桟取付溝１１３を有しており、軒側の横桟を先に取付ける方が好ましい。軒側の横桟を架設した後に、軒側の横桟に軒側カバーを取付けることもできる。
【００４０】
次に工程（Ｓ４００）において、桟に構造物を設置支持する。この工程においては、たとえば、構造物としての太陽電池モジュールを、軒側の横桟に係合するように、野地板の表面に対し傾斜した状態で仮置きする。次に太陽電池モジュールの表面が野地板の表面と平行になるように移動させ、棟側の横桟に棟側の太陽電池モジュール辺を係合させて固定する。太陽電池モジュールを固定した後に、棟側の横桟に棟側カバーを取付けることもできる。以上の手順を繰り返すことによって、屋根の上側に構造物を配列させて取付けることができる。
【００４１】
図９は、図８に示す構造物設置支持方法のうち、複数の固定具に支持具を固定する支持具固定工程（Ｓ２００）の詳細を示す流れ図である。図９を参照して、支持具固定工程（Ｓ２００）の詳細を説明する。まず工程（Ｓ２１０）において、野地板に固定された複数の固定具に架設するように、支持具を仮置きする。具体的には、野地板に固定された一方の支持金具１０１および他方の支持金具１０２に、縦取付金具１０３を仮置きする。このとき、縦取付金具の一方の端部１０８が軒側となるように縦取付金具１０３を設置する。
【００４２】
次に工程（Ｓ２２０）において、一方の固定具と支持具とを結合する。具体的には、一方の支持金具１０１の、支持金具側部１０５に形成される絞りタップ１０６と、縦取付金具１０３の、縦取付金具側部１０７における縦取付金具の一方の端部１０８に形成される第一の支持金具固定穴１０９とを結合する。絞りタップ１０６と第一の支持金具固定穴１０９とは、ボルト１０４を用いて固定することができる。これにより、縦取付金具側部１０７と垂直な方向を回動軸方向として、複数の固定具のうちの一つである一方の支持金具１０１と、支持具としての縦取付金具１０３とを、相対的に回動可能に結合することができる。
【００４３】
次に工程（Ｓ２３０）において、他方の固定具と支持具とを締着する位置を調整する。具体的には、縦取付金具１０３の、縦取付金具側部１０７における縦取付金具の他方の端部１１０に形成される長穴形状の第二の支持金具固定穴１１２に対し、他方の支持金具１０２の支持金具側部１０５に形成される丸穴形状の絞りタップ１０６を締着する位置を調整する。第二の支持金具固定穴１１２は、縦取付金具１０３の長手方向に沿って伸びる長穴である。すなわち、第二の支持金具固定穴１１２は、野地板に対して平行方向に長い横長に形成されている。長穴である第二の支持金具固定穴１１２の範囲において、他方の支持金具１０２と縦取付金具１０３とを締着する位置を調整することができる。
【００４４】
次に工程（Ｓ２４０）において、他方の固定具と支持具とを締着する。具体的には、縦取付金具１０３の、縦取付金具側部１０７における縦取付金具の他方の端部１１０に形成される長穴形状の第二の支持金具固定穴１１２に、ボルト１１１を貫通させる。そして、他方の支持金具１０２の支持金具側部１０５に形成される丸穴形状の絞りタップ１０６へボルト１１１を捩じ込み、他方の支持金具１０２と縦取付金具１０３とを締着する。
【００４５】
以上説明した構造物設置支持方法により、架台を固定する固定具、すなわち一方の支持金具１０１と他方の支持金具１０２とを、屋根材下方の野地板に対して垂直な方向に固定しつつ、架台の一部である支持具、すなわち縦取付金具１０３と、支持金具側部１０５および縦取付金具側部１０７において設置固定することができる。第一の支持金具固定穴１０９を一方の支持金具１０１の丸穴形状の絞りタップ１０６と結合し位置決めした後に、縦取付金具の他方の端部１１０が揺動可能な状態において、第二の支持金具固定穴１１２と他方の支持金具１０２の絞りタップ１０６とを締着する位置を調整した上で、他方の支持金具１０２と縦取付金具１０３とを締着することができる。したがって、構造物設置支持装置１００を容易に屋根の上側に取付けることができ、施工性が向上する。また、一方の支持金具１０１および他方の支持金具１０２と縦取付金具１０３とはそれぞれの側部において結合されるので、一方の支持金具１０１の上面と他方の支持金具１０２の上面とが同一平面上に揃っていなくても、容易に結合できる。よって、曲面を有する屋根へ容易に構造物設置支持装置１００を取付けることができる。その上、他方の支持金具１０２と縦取付金具１０３との固定位置を任意に選択することにより、野地板の繋ぎ目である頂部１２７と縦取付金具１０３との隙間を調整することが可能となる。したがって、屋根曲面に沿ってパネル１３０を設置することが可能となり、屋根との一体感が得られ美観が向上する。さらに、第一の支持金具固定穴１０９を基準点として屋根曲面とパネル１３０との隙間を少なく設定するよう、パネル１３０の設置角度調整が可能であり、これにより風耐圧が強い設置構造が得られ、耐風性が向上する。
【００４６】
（実施の形態２）
図１０は、この発明の実施の形態２の構造物設置支持装置の外観を示す斜視図である。実施の形態２の構造物設置支持装置と、上述した実施の形態１の構造物設置支持装置とは、基本的に同様の構成を備えている。しかし、実施の形態２では、第二の支持金具固定穴２１２と、縦取付金具の一方の端部１０８および縦取付金具の他方の端部１１０付近が図１０に示すような構成となっている点で実施の形態１とは異なっている。
【００４７】
具体的には、図１０において、この構造物設置支持装置２００は、第二の固着部を含む。第二の固着部は、長穴としての第二の支持金具固定穴２１２が形成された部分を有し、第二の支持金具固定穴２１２は、縦取付金具１０３の長手方向と直交する短手方向に沿って伸びる長穴である。また、支持具としての縦取付金具１０３は、長手方向の両端部に形成され、複数の縦取付金具１０３を長手方向に連結する、連結部を含む。すなわち、縦取付金具の一方の端部１０８に第一の連結部２１６を含み、縦取付金具の他方の端部１１０に第二の連結部２１７を含む。第一の連結部２１６は、縦取付金具の一方の端部１０８において縦取付金具側部１０７に形成され、丸穴が形成された部分を有する。第二の連結部２１７は、縦取付金具の他方の端部１１０において縦取付金具側部１０７から突出するヒレ状の部材であり、丸穴が形成された部分を有する。そして、複数の構造物設置支持装置２００が、たとえば屋根の流方向に連設されるとき、第一の連結部２１６と第二の連結部２１７とによって、複数の構造物設置支持装置２００を互いに連接固定することができる。たとえば、第一の連結部２１６が有する丸穴の内側に螺刻し、また第二の連結部２１７が有する丸穴の内側に螺刻し、第一の連結部２１６が有する丸穴と第二の連結部２１７が有する丸穴とをボルトによって螺合することで、複数の構造物設置支持装置２００を互いに連接固定することができる。
【００４８】
図１１は、支持具固定工程の変形例の詳細を示す流れ図である。図１１に示す支持具固定工程と、上述した図９に示す支持具固定工程とは、基本的に同様の工程を備えている。しかし、図１１に示す支持具固定工程では、図９において工程（Ｓ２４０）に相当する工程が、図１１に示すような工程（Ｓ２４１）から工程（Ｓ２８１）となっている点で、図９に示す支持具固定工程とは異なっている。
【００４９】
すなわち、工程（Ｓ２３０）において、他方の固定具と支持具とを締着する位置を調整した後に、他方の固定具と支持具とを締着せずに、工程（Ｓ２４１）において、他方の固定具と支持具とを仮固定する。具体的には、縦取付金具１０３の第二の支持金具固定穴２１２と、他方の支持金具１０２の絞りタップ１０６とにボルト１１１を嵌挿し、長穴形状の第二の支持金具固定穴２１２の範囲内でボルト１１１を緩やかに仮締着する。
【００５０】
次に工程（Ｓ２５１）において、屋根の流方向に沿って支持具の棟側に、支持具と隣接して設置されるよう、他の支持具を仮置きする。次に工程（Ｓ２６１）において、他の支持具の第一の固着部を固定する。具体的には、図９に示す工程（Ｓ２１０）および工程（Ｓ２２０）と同様の方法を用いることができる。また、構造物設置支持装置２００の縦取付金具１０３が有する第二の連結部２１７と、構造物設置支持装置２００の棟側に隣接設置される他の構造物設置支持装置２００の縦取付金具１０３における縦取付金具側部１０７とが、互いに干渉しないように、第二の連結部２１７は内側に湾曲されているのが好ましい。これにより、構造物設置支持装置２００の縦取付金具１０３が有する第二の連結部２１７の外側面と、構造物設置支持装置２００の棟側に隣接設置される他の構造物設置支持装置２００の縦取付金具１０３における縦取付金具側部１０７の内側面とが、互いに対向する状態で、屋根の流方向に隣接設置される構造物設置支持装置２００を配置することができる。
【００５１】
次に工程（Ｓ２７１）において、支持具の第二の連結部と、他の支持具の第一の連結部とを連結する。具体的には、構造物設置支持装置２００の縦取付金具１０３が有する第二の連結部２１７と、構造物設置支持装置２００の棟側に隣接設置される他の構造物設置支持装置２００の縦取付金具１０３が有する第一の連結部２１６とを、たとえばボルトによる螺合によって、連結固定する。
【００５２】
次に工程（Ｓ２８１）において、他方の固定具と支持具とを締着する。具体的には、工程（Ｓ２４１）において仮固定された、縦取付金具１０３の第二の支持金具固定穴２１２と他方の支持金具１０２の絞りタップ１０６とに嵌挿されたボルト１１１によって、他方の支持金具１０２と縦取付金具１０３とを締着する。
【００５３】
以上説明した支持具固定工程を備える構造物設置支持方法により、支持具の棟側に形成される第二の連結部と、上記支持具の棟側に連接設置される他の支持具の軒側に形成される第一の連結部とを、ボルトなどで連結し固定することで、より風耐圧が強い構造物設置支持装置が得られる。また、各段の構造物を均等に設置可能であるので整然と配列が行え、より美観が向上する。また、構造物が太陽電池モジュールの場合は、設置屋根面積に対してより効率良く太陽電池モジュールを敷設することが可能となるため、発電量をより増大させることができる。
【００５４】
次に、構造物設置支持装置２００を用いて、傾斜角度の異なる複数の野地板を備える屋根の上側に構造物を取付ける例について説明する。図１２は、図１０に示す構造物設置支持装置２００を屋根の上側に複数設置した実施形態を示す模式図であり、傾斜角度が一定角度で変化する円弧を描くドーム型の屋根に設置する場合の例である。図１２において、屋根の流方向に軒側から頂上部へ順に、野地板２２１、野地板２２２、野地板２２３、野地板２２４、野地板２２５および野地板２２６が設置されている。野地板２２１〜２２６は、たとえば、流方向寸法９１０ｍｍ、流方向と直交する桁行方向寸法１８２０ｍｍのものを用いることができる。野地板２２１〜２２４は、それぞれ屋根頂上部に向かって水平面に対して、たとえば５度ずつ減少した傾斜角度を呈している。野地板２２１〜２２４は円弧形状を形成し、また、野地板２２５〜２２６は、異なる円弧形状を形成する。野地板２２４と野地板２２５との繋ぎ目においては、谷形状が形成される。そして、図１２において、野地板２２１〜２２６には、屋根の流方向に、構造物設置支持装置２００が４台設置されている。構造物設置支持装置２００は、たとえば、長手方向寸法１０８５ｍｍのものを用いることができる。またそれぞれの構造物設置支持装置２００は、互いに連結されている。それぞれの構造物設置支持装置２００には、構造物としてのパネル２３０、たとえば太陽電池モジュールが設置固定されている。以下、屋根の流方向に軒側から頂上部へ向かって順に、１段目、２段目、３段目および４段目の構造物設置支持装置と称する。
【００５５】
図１３は、図１２に示す１段目の構造物設置支持装置を示す模式図である。図１４は、図１２に示す２段目の構造物設置支持装置を示す模式図である。図１５は、図１２に示す３段目の構造物設置支持装置を示す模式図である。図１６は、図１２に示す４段目の構造物設置支持装置を示す模式図である。
【００５６】
図１３において、一方の固定具としての一方の支持金具１０１が、野地板２２１に、野地板２２１に対して垂直な方向に固定される。また他方の固定具としての他方の支持金具１０２が、野地板２２２に、野地板２２２に対して垂直な方向に固定される。屋根の仕上げ材である曲面を有する屋根材２２０は、野地板によって支えられ、曲面の屋根面を形成する。支持具としての縦取付金具１０３は、複数の固定具、すなわち一方の支持金具１０１と他方の支持金具１０２とによって担持されており、構造物としてのパネル２３０を固定支持する。縦取付金具１０３は第二の支持金具固定穴２１２を有し、第二の支持金具固定穴２１２は、縦取付金具１０３の長手方向と直交する短手方向に沿って伸びる長穴である。すなわち、第二の支持金具固定穴２１２は、野地板に対してほぼ垂直方向に長い縦長に形成される。第二の支持金具固定穴２１２を複数有することにより、野地板表面の任意の位置を自在に選択して他方の支持金具１０２を固定することができ、下地である野地板の繋ぎ目の頂部２２７を避けて他方の支持金具１０２を野地板に固定することが容易となる。たとえば図１３では、野地板の繋ぎ目の頂部２２７が縦取付金具１０３の中央寄りにあるため、縦長に形成される第二の支持金具固定穴２１２の中央において、他方の支持金具１０２と縦取付金具１０３とを締着している。
【００５７】
また、１段目の構造物設置支持装置２００の第二の連結部２１７と、２段目の構造物設置支持装置２００の第一の連結部２１６とを用いて、１段目の構造物設置支持装置２００と２段目の構造物設置支持装置２００とを連結している。これにより、複数の構造物設置支持装置２００を屋根上に均等に配置することができる。構造物が太陽電池モジュールの場合は、設置屋根面積に対して効率よく太陽電池モジュールを敷設することが可能となるため、発電量を増大させることができる。また、曲面を有する屋根面において、屋根曲面に沿って構造物を設置することが可能となり、屋根との一体感が得られ美観が向上する。さらに、複数の構造物設置支持装置２００を一体として固定することにより、互いの構造物設置支持装置２００の耐風性がさらに向上する。
【００５８】
図１４に示す２段目の構造物設置支持装置２００では、野地板の繋ぎ目の頂部２２７が縦取付金具１０３の軒側にある。そのため、縦取付金具１０３の長手方向に４箇所形成される第二の支持金具固定穴２１２のうち縦取付金具１０３の中央側を用い、また縦長に形成される第二の支持金具固定穴２１２の野地板に近接する側において、他方の支持金具１０２と縦取付金具１０３とを締着している。
【００５９】
図１５では、異なる円弧を形成する野地板２２４と野地板２２５との繋ぎ目が、３段目の構造物設置支持装置２００の棟側に示されている。図１６では、異なる円弧を形成する野地板２２４と野地板２２５との繋ぎ目が、４段目の構造物設置支持装置２００の軒側に示されている。構造物設置支持装置２００を用いることにより、野地板の繋ぎ目の谷部２２８と、縦取付金具１０３との隙間を調整しつつ、３段目の構造物設置支持装置２００と４段目の構造物設置支持装置２００とを連結することが容易に可能である。すなわち、図１１に示す支持具固定工程に従って、３段目の構造物設置支持装置２００の第二の連結部２１７と、４段目の構造物設置支持装置２００の第一の連結部２１６とを連結する。そして、縦長に形成される第二の支持金具固定穴２１２において、他方の支持金具１０２と縦取付金具１０３とを締着する位置を調整して、３段目の構造物設置支持装置２００において他方の支持金具１０２と縦取付金具１０３とを締着する。たとえば、図１５においては、縦取付金具１０３の長手方向に４箇所形成される第二の支持金具固定穴２１２のうち縦取付金具１０３の中央から２つ目を用い、また縦長に形成される第二の支持金具固定穴２１２の中央において、他方の支持金具１０２と縦取付金具１０３とを締着している。また、図１６においては、縦取付金具１０３の長手方向に４箇所形成される第二の支持金具固定穴２１２のうち縦取付金具１０３の中央から３つ目を用い、また縦長に形成される第二の支持金具固定穴２１２の野地板に近接する側において、他方の支持金具１０２と縦取付金具１０３とを締着している。これにより、３段目の構造物設置支持装置２００に設置固定されるパネル２３０と、４段目の構造物設置支持装置２００に設置固定されるパネル２３０とを、いずれも屋根曲面に沿って設置しつつ、３段目の構造物設置支持装置２００と４段目の構造物設置支持装置２００とを連結することができる。
【００６０】
なお、異なる円弧を形成する曲面屋根への設置においては、野地板の繋ぎ目の谷部２２８を基点とし、軒側および棟側にそれぞれ構造物設置支持装置２００を配列するのが好ましい。
【００６１】
（実施の形態３）
図１７は、この発明の実施の形態３の構造物設置支持装置の外観を示す斜視図である。実施の形態３の構造物設置支持装置と、上述した実施の形態２の構造物設置支持装置とは、基本的に同様の構成を備えている。しかし、実施の形態３では、一方の支持金具１０１と他方の支持金具１０２とが図１７に示すような構成となっている点で実施の形態２とは異なっている。
【００６２】
具体的には、図１７において、この構造物設置支持装置３００は、一方の支持金具１０１と他方の支持金具１０２とを備える。一方の支持金具１０１は、支持金具側部１０５の一部を切り開き形成されるヒレ部３１８を含む。ヒレ部３１８は、一方の支持金具１０１の底面、すなわち野地板と接する面と、同一平面に形成される。ヒレ部３１８は、一方の支持金具１０１が含む一組の対向する支持金具側部１０５の両方において、形成される。またヒレ部３１８は、一方の支持金具１０１を野地板に固定するためのネジ穴３１４を有する。他方の支持金具１０２においても、同様に２箇所のヒレ部３１８が形成される。
【００６３】
図１８は、図１７に示す固定具、すなわち一方の支持金具１０１および他方の支持金具１０２の三面図である。図１８において、（ａ）は上面図、（ｂ）は正面図、（ｃ）は側面図をそれぞれ示す。正面図において、支持金具側部１０５の一部が切り開かれている。そして、上面図に示すように、支持金具側部１０５の切り開かれた部分が、底面と同一平面上においてヒレ部３１８を形成する。ヒレ部３１８は、固定具を野地板に固定するためのネジ穴３１４を有する。
【００６４】
図１７に示す、一方の支持金具１０１と他方の支持金具１０２とを野地板へ固定するためのネジ穴３１４を支持金具側部１０５の外側に形成する、構造物設置支持装置３００を用いることにより、予め支持具に固定具を取付ける構造物設置支持方法が可能となる。
【００６５】
図１９は、固定具および支持具固定工程の他の変形例の詳細を示す流れ図である。図１９を参照して、構造物設置支持装置３００を用いる場合の構造物設置支持方法の一例について説明する。この方法を用いる場合は、図８に示す工程（Ｓ１００）において説明した方法を用いて屋根面の流方向・桁行方向の墨出しを行なう。その後、図１９に示す、固定具および支持具固定工程が実施される。
【００６６】
図１９において、まず工程（Ｓ２３０）において、他方の固定具と支持具とを締着する位置を調整する。具体的には、縦取付金具１０３の、縦取付金具側部１０７における縦取付金具の他方の端部１１０に形成される長穴形状の第二の支持金具固定穴２１２に対し、他方の支持金具１０２の支持金具側部１０５に形成される丸穴形状の絞りタップ１０６を締着する位置を調整する。
【００６７】
次に工程（Ｓ２４１）において、他方の固定具と支持具とを仮固定する。具体的には、縦取付金具１０３の第二の支持金具固定穴２１２と、他方の支持金具１０２の絞りタップ１０６とにボルト１１１を嵌挿し、長穴形状の第二の支持金具固定穴２１２の範囲内でボルト１１１を緩やかに仮締着する。
【００６８】
次に工程（Ｓ１５０）において、一方の固定具を野地板に固定する。具体的には、流方向・桁行方向の墨出し線の交点に、一方の支持金具１０１を配置し、ネジ止めにより野地板に、野地板に対して垂直な方向に固定する。
【００６９】
次に工程（Ｓ２１０）において、支持具を仮置きする。具体的には、縦取付金具１０３を、野地板に固定された一方の支持金具１０１と、縦取付金具１０３に仮固定されている他方の支持金具１０２とによって架設されるように、縦取付金具１０３を屋根面に仮置きする。このとき、縦取付金具の一方の端部１０８が軒側となるように縦取付金具１０３を設置する。
【００７０】
次に工程（Ｓ２２０）において、一方の固定具と支持具とを結合する。具体的には、一方の支持金具１０１の、支持金具側部１０５に形成される絞りタップ１０６と、縦取付金具１０３の、縦取付金具側部１０７における縦取付金具の一方の端部１０８に形成される第一の支持金具固定穴１０９とを結合する。この状態では、縦取付金具側部１０７と垂直な方向を回動軸方向として、一方の支持金具１０１と縦取付金具１０３とは相対的に回動可能に結合されている。
【００７１】
次に工程（Ｓ１６０）において、他方の固定具を野地板に固定する。具体的には、他方の支持金具１０２を、ネジ止めにより野地板に、野地板に対して垂直な方向に固定する。このとき、ネジ穴３１４を支持金具側部１０５の外側に形成しているため、他方の支持金具１０２と縦取付金具１０３とが工程（Ｓ２４１）の仮締着により一体となっていても、他方の支持金具１０２を容易に野地板に固定することができる。
【００７２】
次に工程（Ｓ２８１）において、他方の固定具と支持具とを締着する。具体的には、工程（Ｓ２４１）において仮固定された、縦取付金具１０３の第二の支持金具固定穴２１２と他方の支持金具１０２の絞りタップ１０６とに嵌挿されたボルト１１１によって、他方の支持金具１０２と縦取付金具１０３とを締着する。
【００７３】
以上説明した通り、構造物設置支持装置３００を用いることにより、予め支持具に他方の固定具を取付ける構造物設置支持方法が可能となる。よって、屋根上での墨出し回数を減少できる。すなわち、他方の支持金具１０２を配置する位置を墨出しにより決定する必要がなくなる。したがって、屋根上での設置作業を軽減することができるので、より効率的な構造物設置支持方法を提供することができる。
【００７４】
なお、これまでの説明においては、支持具と固定具とを、また固定具と野地板とを、ボルトを用いて締着する例を述べているが、たとえばビスを用いて鋲着することもできる。また、野地板の寸法は、流方向寸法９１０ｍｍ、桁行方向寸法１８２０ｍｍが標準であるが、これ以外の寸法の野地板を有する屋根に対しても、支持具の長手方向寸法を調整することによって、この発明の構造物設置支持装置を適用することが可能である。また、構造物としてパネル状の太陽電池モジュールを例に挙げているが、構造物はこの形態に限られず、たとえば太陽光集熱装置、表示装置または発光装置であってもよい。
【００７５】
そして、構造物設置支持装置の長手方向を屋根の流方向に沿って配置する形態に限られず、たとえば屋根の桁行方向に傾斜角度の異なる複数の野地板を備える屋根にも適用可能である。また、傾斜角度の異なる複数の野地板を備える屋根の上側に構造物を取付ける例を述べているが、平面屋根の上側に構造物を取付ける場合にも適用可能である。さらに、屋根の上側に構造物を取付ける場合に限られず、たとえば天井から構造物を釣支する場合、または壁面に構造物を保持する場合にも、この発明の構造物設置支持装置を適用することが可能である。
【００７６】
今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【図面の簡単な説明】
【００７７】
【図１】この発明の実施の形態１の構造物設置支持装置の外観を示す斜視図である。
【図２】図１に示す構造物設置支持装置を複数設置した実施形態を示す模式図である。
【図３】図２に示す１段目の構造物設置支持装置を示す模式図である。
【図４】図２に示す２段目の構造物設置支持装置を示す模式図である。
【図５】図１に示す支持具の三面図である。
【図６】図１に示す固定具の三面図である。
【図７】図１に示す固定具の変形例の正面図および側面図である。
【図８】構造物設置支持方法の概略を示す流れ図である。
【図９】図８に示す構造物設置支持方法のうち、支持具固定工程の詳細を示す流れ図である。
【図１０】この発明の実施の形態２の構造物設置支持装置の外観を示す斜視図である。
【図１１】支持具固定工程の変形例の詳細を示す流れ図である。
【図１２】図１０に示す構造物設置支持装置を複数設置した実施形態を示す模式図である。
【図１３】図１２に示す１段目の構造物設置支持装置を示す模式図である。
【図１４】図１２に示す２段目の構造物設置支持装置を示す模式図である。
【図１５】図１２に示す３段目の構造物設置支持装置を示す模式図である。
【図１６】図１２に示す４段目の構造物設置支持装置を示す模式図である。
【図１７】この発明の実施の形態３の構造物設置支持装置の外観を示す斜視図である。
【図１８】図１７に示す固定具の三面図である。
【図１９】固定具および支持具固定工程の他の変形例の詳細を示す流れ図である。
【符号の説明】
【００７８】
１００  構造物設置支持装置、１０１  一方の支持金具、１０２  他方の支持金具、１０３  縦取付金具、１０４  ボルト、１０５  支持金具側部、１０６  絞りタップ、１０７  縦取付金具側部、１０８  縦取付金具の一方の端部、１０９  第一の支持金具固定穴、１１０  縦取付金具の他方の端部、１１１  ボルト、１１２  第二の支持金具固定穴、１１３  横桟取付溝、１１４  ネジ穴、１１５  止水部材、１２０  屋根材、１２１，１２２，１２３，１２４  野地板、１２７  頂部、１３０  パネル、２００  構造物設置支持装置、２１２  第二の支持金具固定穴、２１６  第一の連結部、２１７  第二の連結部、２２０  屋根材、２２１，２２２，２２３，２２４，２２５，２２６  野地板、２２７  頂部、２２８  谷部、２３０  パネル、３００  構造物設置支持装置、３１４  ネジ穴、３１８  ヒレ部。
【図１】
2007285096.tif 000003
【図２】
2007285096.tif 000004
【図３】
2007285096.tif 000005
【図４】
2007285096.tif 000006
【図５】
2007285096.tif 000007
【図６】
2007285096.tif 000008
【図７】
2007285096.tif 000009
【図８】
2007285096.tif 000010
【図９】
2007285096.tif 000011
【図１０】
2007285096.tif 000012
【図１１】
2007285096.tif 000013
【図１２】
2007285096.tif 000014
【図１３】
2007285096.tif 000015
【図１４】
2007285096.tif 000016
【図１５】
2007285096.tif 000017
【図１６】
2007285096.tif 000018
【図１７】
2007285096.tif 000019
【図１８】
2007285096.tif 000020
【図１９】
2007285096.tif 000021